(57)【特許請求の範囲】
【請求項１】
ウォブル溝により構成される位置情報を備え光ディスクから情報データを再生する、光ディスクの信号再生方法において、
前記光ディスクから読み出されるウォブル読み出し信号から同期信号を生成するステップと、
未記録のデータ領域に続く記録済みのデータ領域からデータ再生するときに、前記同期信号のタイミングを用いて前記記録済みのデータ領域の先頭近傍からの情報読み出し信号をＤＣレベル補正するステップと、
前記ＤＣレベル補正した情報読み出し信号を二値化して再生するステップとを有することを特徴とする光ディスクの信号再生方法。
【請求項２】
請求項１に記載の光ディスクの信号再生方法において、前記同期信号を生成するステップは、ウォブルクロックを生成するステップと、前記ウォブルクロックに同期してウォブル情報のデコードを行うステップとを含むことを特徴とする光ディスクの信号再生方法。
【請求項３】
請求項１に記載の光ディスクの信号再生方法において、前記ＤＣレベル補正ステップは、１つの記録済みのデータ領域に続く記録済みのデータ領域の先頭近傍からの情報読み出し信号をもＤＣレベル補正することを特徴とする光ディスクの信号再生方法。
【請求項４】
ウォブル溝により構成される位置情報を備え、前記ウォブル溝をトラック方向に所定の長さだけ中断してなる領域を設けた光ディスクに対して、前記中断された領域を避けて記録した情報パタンを用いて記録再生テストを行う信号再生方法において、
前記光ディスクから読み出されるウォブル読み出し信号から同期信号を生成するステップと、
前記同期信号のタイミングを用いて、少なくとも前記中断された領域の先頭近傍の情報読み出し信号をＤＣレベル補正するステップと、
前記ＤＣレベル補正した情報読み出し信号を二値化して再生するステップとを有することを特徴とする光ディスクの信号再生方法。
【請求項５】
請求項４に記載の光ディスクの信号再生方法において、前記同期信号を生成するステップは、ウォブルクロックを生成するステップと、前記ウォブルクロックに同期してウォブル情報のデコードを行うステップとを含むことを特徴とする光ディスクの信号再生方法。
【請求項６】
請求項４に記載の光ディスクの信号再生方法において、前記ＤＣレベル補正ステップは、１つの記録済みのデータ領域に続く記録済みのデータ領域の先頭近傍からの情報読み出し信号をもＤＣレベル補正することを特徴とする光ディスクの信号再生方法。
【請求項７】
ウォブル溝により構成される位置情報を備え、未記録のデータ領域に続く記録済みのデータ領域を有する光ディスクから情報データを再生する光ディスク装置において、
前記光ディスクから読み出されるウォブル読み出し信号から同期信号を生成する手段（１１６、１１７）と、
前記同期信号のタイミングを用いて、少なくとも前記記録済みのデータ領域の先頭近傍からの情報読み出し信号をＤＣレベル補正する手段（１２６、１２６Ａ、１２６Ｂ）と、
前記ＤＣレベル補正した情報読み出し信号を二値化して再生する手段（１１３）とを備えることを特徴とする光ディスク装置。
【請求項８】
請求項７に記載の光ディスク装置において、
前記同期信号を生成する手段（１１６，１１７）は、ウォブルクロックを生成する手段（１１６）と、前記ウォブルクロックに同期してウォブル情報をデコードする手段（１１７）とを含むことを特徴とする光ディスク装置。
【請求項９】
請求項７に記載の光ディスク装置において、前記ＤＣレベル補正する手段（１２６、１２６Ａ、１２６Ｂ）は、１つの記録済みのデータ領域に続く記録済みのデータ領域の先頭近傍からの情報読み出し信号をもＤＣレベル補正することを特徴とする光ディスク装置。
【請求項１０】
請求項７に記載の光ディスク装置において、前記ＤＣレベル補正する手段（１２６）は、前記情報読み出し信号を所定の時間幅だけクランプするクランプ回路（１２９）を有することを特徴とする光ディスク装置。
【請求項１１】
請求項７に記載の光ディスク装置において、前記ＤＣレベル補正する手段（１２６Ａ）は、前記情報読み出し信号の正側ピークを検出する正側ピーク検出回路（１３１）と、前記情報読み出し信号の負側ピークを検出する負側ピーク検出回路（１３２）と、前記正側ピークと負側ピークとを加算する加算器（１３３）とを有することを特徴とする光ディスク装置。
【請求項１２】
請求項７に記載の光ディスク装置において、前記ＤＣレベル補正する手段（１２６Ｂ）は、前記情報読み出し信号によって充電されるキャパシタと、該キャパシタの充電時間を所定の時間幅だけ短くするように充電時定数を切り替えるインピーダンス切り替え回路とを有することを特徴とする光ディスク装置。
【請求項１３】
ウォブル溝により構成される位置情報を備え、前記ウォブル溝をトラック方向に所定の長さだけ中断してなる領域を設けた光ディスクに対して、前記中断された領域を避けて記録した情報パタンを用いて記録再生テストを行う光ディスク装置において、
前記光ディスクから読み出されるウォブル読み出し信号から同期信号を生成する手段（１１６，１１７）と、
前記同期信号のタイミングを用いて、少なくとも前記中断された領域の先頭近傍の情報読み出し信号をＤＣレベル補正する手段（１２６）と、
前記ＤＣレベル補正した情報読み出し信号を二値化して再生する手段（１１３）とを備えることを特徴とする光ディスク装置。
【請求項１４】
請求項１３に記載の光ディスク装置において、
前記同期信号を生成する手段（１１６，１１７）は、ウォブルクロックを生成する手段（１１６）と、前記ウォブルクロックに同期してウォブル情報をデコードする手段（１１７）とを含むことを特徴とする光ディスク装置。
【請求項１５】
請求項１３に記載の光ディスク装置において、前記ＤＣレベル補正する手段（１２６）は、１つの記録済みのデータ領域に続く記録済みのデータ領域の先頭近傍からの情報読み出し信号をもＤＣレベル補正することを特徴とする光ディスク装置。
【請求項１６】
請求項１３に記載の光ディスク装置において、前記ＤＣレベル補正する手段（１２６）は、前記情報読み出し信号を所定の時間幅だけクランプするクランプ回路（１２９）を有することを特徴とする光ディスク装置。
【請求項１７】
請求項１３に記載の光ディスク装置において、前記ＤＣレベル補正する手段（１２６Ａ）は、前記情報読み出し信号の正側ピークを検出する正側ピーク検出回路（１３１）と、前記情報読み出し信号の負側ピークを検出する負側ピーク検出回路（１３２）と、前記正側ピークと負側ピークとを加算する加算器（１３３）とを有することを特徴とする光ディスク装置。
【請求項１８】
請求項１３に記載の光ディスク装置において、前記ＤＣレベル補正する手段（１２６Ｂ）は、前記情報読み出し信号によって充電されるキャパシタと、該キャパシタの充電時間を所定の時間幅だけ短くするように充電時定数を切り替えるインピーダンス切り替え回路とを有することを特徴とする光ディスク装置。
【発明の詳細な説明】
【技術分野】
【０００１】
本発明は、ウォブル溝により構成される位置情報を備えた光ディスクを用いて情報の記録／再生を行う光ディスク装置、及び、その光ディスク装置における信号再生方法に関する。
【背景技術】
【０００２】
現在用いられている光ディスクでは、光ディスクの記録面で変調を受けて反射したレーザ光から読み出し信号を検出する手法が用いられている。再生専用型の光ディスクでは、記録面に予め形成されたプリピットで反射する反射光量の変化を利用して読み出し信号を取り出している。また、追記型の光ディスクでは、高パワーのレーザ照射によって形成された微小ピット又は記録マークの相変化に起因した反射光量の変化を再生に利用している。また、書き換え型の一つである相変化光ディスクでは、追記型と同様に、記録マークの相変化に起因した反射光量の変化を再生に用いている。追記型および書き換え型を総称して記録型と呼称することがある。【０００３】
上記原理を利用した大容量の光ディスクとして、DVD(Digital Versatile Disc)が広く普及してきた。記録型DVDでは、情報パタンを記録マークによって記録する記録トラックとして、ディスクの記録面にスパイラル状にグルーブ（溝）が刻まれる。このグルーブと、グルーブ間に形成されるランドとの間での位相差によって発生する反射回折光が、トラック位置制御に利用される。グルーブだけを記録トラックとして用いて記録再生するグルーブ記録方式と、ランドとグルーブの双方を記録トラックとして用いるランド／グルーブ記録方式の二つが規格化、商品化されている。【０００４】
追記型であるDVD-R、+Rディスクや書き換え型であるDVD-RW、+RWは、グルーブ記録方式を採用している。一方、ランド／グルーブ記録方式を採用しているのはDVD-RAMである。
グルーブ記録及びランド／グルーブ記録の双方で利用されるグルーブは、いずれもトラック幅に対してわずかにウォブル（蛇行）するように、正弦波からなるキャリア信号をアドレス情報等によって変調され、ウォブル溝と呼ばれている。なお、ランド及びグルーブは、それぞれ凸部、凹部という呼称や、溝間部、溝部という呼称でそれぞれ呼ばれることもある。【０００５】
DVD用の光ディスク装置では、光ヘッドから出射した光ビームが記録トラックに相当するグルーブ（もしくはランド）上に集光するようにフォーカス制御されると共に、前述の反射回折光を利用してトラック位置制御される。また、光ディスクの回転数は、光ビームが記録トラック上を走査する線速度が所定の一定値となるように制御される。この回転制御を容易に行うために、ウォブル溝から再生したキャリア信号が使われる。ウォブル溝は一定の空間周波数で蛇行しているため、再生したキャリア信号の周波数が所定の一定値となるように回転数を制御することで、線速度を一定に保つことができる。線速度が一定に保たれていれば、一定の周波数に保たれた記録クロック（チャネルクロック）に同期して記録された情報パタンは、一定の線密度をもつ記録マークとして形成される。【０００６】
図１１に、種々の光ディスクにおけるアドレス情報の読み出し信号波形を模式的に例示した。波形（ａ）はDVD-RAMで用いられる単一周期の正弦波ウォブル信号の例であり、キャリア信号のみでアドレス情報は持たない。なお、アドレス情報であるトラック番地、セクタ番地や同期用信号等のデジタル情報は、2048byteセクタの先頭毎にプリピットとしてエンボス形成され、ウォブル溝は所定の単一周期でエンボス部を避けて形成されている。波形（ｂ）はアドレス情報を、基本キャリア周波数とその２倍周波数とで表現したＦＭ変調波の例であり、ウォブル溝の周波数をデジタルFM変調して形成した例である。【０００７】
一方、DVD-R/-RWディスクでは、アドレス情報を含むデジタル情報が、ウォブル溝とは別に、ランド上にプリピットとしてエンボス形成されている。そのため、波形（ｄ）で示すように、正弦波上のキャリア信号にプリピット信号が高周波パルス信号として重畳されたものとして読み出される。ディスク上の特定のアドレスにデータを記録する場合には、プリピットの配置情報をデコードして記録開始位置の制御が行われる。ディスク上の位置を示すアドレス情報は、DVD-R/-RWのようにプリピットの有無やパルス数を用いて表す方法の他に、波形（ｃ）に示す+R/+RWのように、ウォブル溝の位相を変調させることによって表す方法がある。+R/+RWでは、正弦波からなるキャリア信号に、位相がキャリア信号と180°異なる正弦波を局所的に挿入して、アドレスを含むデジタル情報を表す信号を生成し、これに従ってウォブル溝を予め形成している。アドレス情報は、光ヘッドから読み出されるウォブル信号を復調することによって得ることができる。【０００８】
DVDの更なる大容量の次世代規格として、青色レーザを適用したHD DVDが規格化された。 記録データは、1セクタ2048byteの主データ（Main data）に、データＩＤ（Data ID）4byte、IED 2byte、RSV 6byte、EDC 4byteを付加した2064byteをスクランブルし、スクランブルフレーム（Scrambled frame）を構成する。ここまでは、DVDと同じ仕様であり、DVDと親和性の高いフォーマットである。DVDでは、16のScrambled frameにPI、POパリティを付加し、ECCブロックを構成する。一方、HD DVDでは、32のScrambled frameにPI、POパリティを付加し、ECCブロックを構成している。 PIパリティ方向の91byte毎に同期信号SYNC 2byteを挿入した93byteで同期フレームが構成される。“Data field”77376byteは、32物理セクタの832 sync framesで構成される。これに、1 sync frameを追加した833 sync framesでデータセグメントが構成される。追加された1 sync frameはポストアンブル領域2byte、リザーブ領域4byte、バッファ領域16byte、ＶＦＯ領域71byteで構成される。【０００９】
ここで、HD DVD-R/RWでは、図１４に示すデータセグメントが記録の最小単位となる。またHD DVD-R/RWでは、記録開始はＶＦＯ領域から行うことになっており、その再生時にＶＦＯ領域から得られる4T期間の繰り返しを用いることでPLLを引き込み、ロックさせることができる構成である。リザーブ領域4byteは全bit “0”bitに、バッファ領域 16byte、ＶＦＯ領域71byteは共に“0100 0100 0100”とそれぞれ規定しているため、NRZI記録では、図１５に示すように、計87byte分の間、4T期間“１”、4T期間“０”の繰り返しが連続することになる。一方、記録終了に関しては、バッファ領域まで記録した後、24byteのガード領域を追加し終了となる。ガード領域はVFO field、Buffer fieldと同様に“0100 0100 0100”を記録する。【００１０】
ＶＦＯ領域に続く領域は“Data field”であり、特に各“Scrambled frame”の先頭はSY0という同期信号SYNCパタンが割り当てられる。このため、ＶＦＯ領域に引き続いてSY0が検出できれば、それが第1セクタの先頭、つまりECCブロックの先頭であると認識できる。なお、本明細書におけるデータ領域の文言は、特にＨＤ ＤＶＤに限ってＶＦＯ領域を含んだ記録領域を意味する。【００１１】
以下では、図１０に示した光ディスク装置のブロック図を参照し、従来の記録再生方法と光ディスク装置内の各ブロックの機能とについて説明する。光ヘッド１０１内の半導体レーザ（以下ＬＤ）１０６から出射された光ビームは光ディスク１００上の記録面に集光され、その反射光がビームスプリッタ１０３により分岐され、記録トラックに垂直な半径方向に対応した二分割のフォトディテクタ１０８により受光される。各フォトディテクタから得られる電流出力は対応するＩ−Ｖアンプ１０９、１１０によって電圧出力に変換される。グルーブのウォブルに応じて変化する信号は、差動増幅器１１２によってＩ−Ｖアンプ１０９、１１０の出力信号を減算することで得られる。このとき、記録マークからの反射光量の変化が一般的に言う情報読み出し信号であり、この構成の場合には、加算増幅器１１１によって得られる。記録マークからの情報読み出し信号はRF信号などと称されることもある。なお、説明においては、光ビームのディスク記録面および記録トラックへの位置決め制御であるサーボ処理に関しては割愛している。【００１２】
ウォブル信号処理部１１６は、例えばウォブル周波数近傍に通過帯域を持った帯域通過フィルタと、ウォブル信号に同期したウォブルクロックを得るためのPLL( Phase Locked Loop )同期回路と、ウォブルクロックに同期して帯域通過フィルタの出力をサンプリングするサンプリング回路と、サンプリング回路の出力を二値化して同期化する同期化回路とから構成され、記録用のチャネルクロック（記録クロック）、ウォブルクロック、ウォブルの二値化同期データとを出力する。ウォブルデータ復調部１１７は、ウォブルの二値化同期データを変調規則に則りデコードする。このとき、ウォブル信号の同期信号パタンも、パタンマッチングなどの方法でデコードされる。ウォブルＩＤ検出部１１８は、ウォブル信号に埋め込まれたセクタナンバやトラックアドレスなどの物理セクタに対応したアドレス情報を検出し出力する。【００１３】
ウォブル信号処理部１１６は、ＰＬＬ同期回路によって得られたウォブルクロックの周波数が一定となるように、スピンドル制御部１２３を用いてスピンドルの回転数を制御するように働く。これによって、光ビームの走査速度を概ね一定の線速度に保つ。ディスクシステム制御部１１９は、ウォブルデータ復調部１１７から得られたアドレス情報をもとに、一定の周波数に保たれた記録クロックに同期して記録する情報データを基に情報パタンを生成し、記録制御部１２１を通じてＬＤＤ（Laser Diode Driver）１２２を用いて光ビーム強度を変調することによって、一定の線密度で光ディスク上に情報パタンを記録マークとして形成する。なお、ディスクシステム制御部１１９には、上位ホストとの間で情報データなどのやり取りを行う図示しないインタフェース部を通じて記録する情報データが入力されるが割愛している。図面でチャネルクロックと表記している記録クロックは、ウォブルクロックを逓倍して生成される。ウォブル周波数から検出される線速度に追従して情報パタンを記録できるため、高い位置決め精度が得られる。これにより、情報パタンの形成位置の精度を光ディスクのトラック偏芯に伴う位相変動量以下に抑えることができる。当然ながら、この位置決め精度はウォブル溝の基準位置に対する記録開始位置の位置決め精度に影響する。【００１４】
一方、記録マークの読み出し信号であるＲＦ信号は、反射光量の総和であるため、加算増幅器１１１から出力される。このＲＦ信号は、図示しないコンデンサなどの素子により交流結合され、後段のＲＦ信号処理部１１３に渡される。ＲＦ信号処理部１１３は、AGC（Automatic  Gain  Control）回路、所定の周波数特性を有する波形等化器、再生用のチャネルクロックを得るためのPLL回路、及び、二値化回路から構成され、二値化したクロック同期データとして再生信号を出力する。ＲＦデータ復調部１１４は、二値化された再生信号をデコーダ回路によりデコードし、再生データとして図示しないホスト側へ出力する。また、ＲＦデータ復調部１１４の出力信号は、並行してＤＡＴＡ−ＩＤ検出部１１５へ入力され、記録データに埋め込まれたセクタナンバなどのアドレス情報を得るために用いられる。【００１５】
上述したＩ−Ｖアンプ及び加算増幅器の出力であるＲＦ信号を交流結合する理由は、DCレベルを持ったままだと、後段のＡＧＣ回路や波形等化器などのダイナミックレンジに支障をきたすためである。また、ＲＦ信号の帯域内での数ＫＨｚ以下はサーボ信号帯域でもあり、不要であるので、低域での余計なＤＣレベル変動をカットするためにも一般的に交流結合される。また、Ｉ−Ｖアンプには記録時の受光量増加に伴い出力振幅の飽和を避けるためにＩ−Ｖゲインを記録ゲートで切り替える回路が備えてある。【００１６】
DVDでは、記録開始する目標アドレスＮに対して記録する単位は、ECCブロック単位が最小である。従って、未記録状態の記録トラックに情報パタンを記録するには、ECCブロック（DVDでは32Kbyte）単位で記録がなされる。この未記録状態に続く、記録された少なくとも１ECCブロックのデータを読み出すとき、上述したＩ−Ｖアンプおよび加算増幅器からのRF信号は、交流結合されてＡＧＣ処理及び波形処理される。そのため、図１２（ａ）で示すように、未記録状態から記録済み状態への遷移領域では、RF信号エンベロープは、大きなＤＣレベル変動を伴う。この交流結合によるＤＣレベル変動は必ず発生するので、後段のＲＦ信号処理部でのAGC回路や、波形等化器の出力信号でも同様にその影響が残ったり、増加したりする。そのため、二値化回路では、図１２（ｂ）のハッチングで示すように、RF信号の開始点から所定の時定数（例えば、交流結合増幅器のカットオフ周波数が1KHzだとすると1msec）以上までは正確な二値化は得られないという欠点がある。このため、DVD+R/RWでは、目標のアドレスＮの一つ前の、アドレスＮ−１のECCブロックをダミーとして必ず記録せざるを得ない。一方、DVD-R/-RWも書き継ぎ領域としてのリンキング領域を兼ねて、目標のアドレスＮの一つ前の、アドレスＮ−１のECCブロックから記録せざるを得ない。このようにダミー記録が必要な光ディスクシステムでは、無駄に記録トラックの容量ロスが発生し、最小単位である１ECCブロックを記録するのに２ECCブロックが必要になるという、大容量化のメリットを損なう問題がある。【００１７】
もともとDVD-R/RW、+R/+RWは、映像データの記録など、ランダムアクセスして記録しないシーケンシャルファイルを前提としたディスクシステムであるため、未記録状態から記録状態に遷移する領域での問題は、発生頻度的に少ないものではある。しかしながら、コンピュータ用途で使用する場合には、ファイルシステムとの整合性を取るために、ターゲットのアドレス管理が煩雑化するといった問題が発生する。また、DVD-R/RWや+R/+RWでは、ＤＣレベル変動が存在しなかったとしても、PLL引き込みのための領域をフォーマットとして備えていないので、記録データの先頭から再生できるシステムにはならず、ランダムアクセス性の低いディスクシステムである。【００１８】
一方、HD DVD-R/RWの場合には、DVD系とは異なり、PLL引き込みのためのVFO領域を有したデータセグメントが最小記録単位であり、VFO領域はデータセグメント間のリンキングの役割も果たす。このため、現行DVDよりもランダムアクセス性に向いたディスクシステムである。しかしながら、VFO領域には71byteが割り当てられているものの、交流結合にかかる時定数を含め、未記録のセグメントに続く記録セグメントの先頭においては、交流結合によるＤＣレベル変動の影響は完全には取りきれない。【００１９】
例えば、１Ｘ記録再生のHD DVD-RWの場合には、ディスク線速は5.6m/secであり、線密度が0.13μｍ/bitであるので、71byteのVFO領域は約20μsecの時間長となる。VFO領域はPLLの引き込み領域でもあるので、高速引き込みできるように工夫をしたPLLでの引き込みが10byte程度で済むと仮定した場合には、約10KHzが有効なカットオフ周波数と考えられる。従って、所定の時定数までは、正確な二値化どころかVFO領域の正確な識別ができないため、PLLロックできず、先頭のデータセグメント領域を再生できないといった問題が残ったままである。【００２０】
また、交流結合にかかる時定数では、高倍速化に伴う交流結合の時定数短縮化には限度がある。この時定数は、ディスクの高倍速化が進むほど短くする必要が出てくるにも拘わらず、現実には高倍速化が進むほど設定が難しくなる。なぜなら、交流結合の時定数を単純に短くしていくと、低域カットオフ周波数が高くなるため、ＲＦ信号自体の低域成分がカットされ、波形歪、いわゆるサグが発生しやすくなり、再生データエラーが増大するためである。【００２１】
また、HD DVD-RWでは、ゾーン内ＣＬＶで半径方向を複数ゾーンに分割した構成を採用している。この各ゾーン間の境目には、図１３（ａ）で示すような、SCM（Servo Calibration Mark）と呼ばれる、サーボ信号校正用の８Ｔ記録マーク（Ｔはチャネルクロッ周期）繰り返しのSCM1、及び、ラジアルチルト検出用のミラー面であるSCM2が埋め込まれている。これらSCMは、ウォブル溝に同期したタイミングで、溝を途中で中断する方法により形成している。SCMの長さは、SCM1およびSCM2とも186T（Tはチャネルクロック周期）である。これらSCMを含むトラック領域は、情報データを記録する規定にはなっていない。しかしながら、光ディスク装置の記録チェック用に用いて、記録パワー調整に用いても良いと考える。この場合には、SCMを避けて情報パタンを記録することになる。これは、SCMを含めた形態で記録すると、SCM部での反射率が周囲よりも高いため、図１３（ｂ）に示すように、振幅が局所的に大きく変動したり、SCM1などでは波形干渉により歪を生じたりするため、SCMを避けて記録するものである。このとき、SCMを含むグルーブもしくはSCMに隣接するランドの記録済みの記録トラックを読み出すと、図１２、図１３（ｂ）に示すように、交流結合によるＤＣレベル変動の影響が観測され、正確な情報再生ができないといった欠点がある。このため、SCMを含むトラック領域では、光ディスクの装置調整用に使用できる領域が限られることになる。
【発明の開示】
【００２２】
本発明は、上記問題に鑑みてなされたものであり、未記録状態に続く記録状態の記録トラックが存在する光ディスクから、信頼性高く高速にデータ再生できる信号再生方法及び光ディスク装置を提供し、もって、簡単な構成で容易に光ディスクの大容量化を補助することを目的とする。
【００２３】
本発明はその第１の視点において、ウォブル溝により構成される位置情報を備え、未記録のデータ領域に続く記録済みのデータ領域を有する光ディスクから情報データを再生する、光ディスクの信号再生方法において、
前記光ディスクから読み出されるウォブル読み出し信号から同期信号を生成するステップと、前記同期信号のタイミングを用いて、少なくとも前記記録済みのデータ領域の先頭近傍からの情報読み出し信号をＤＣレベル補正するステップと、前記ＤＣレベル補正した情報読み出し信号を二値化して再生するステップとを有することを特徴とする光ディスクの信号再生方法を提供する。
【００２４】
本発明は、その第２の視点において、ウォブル溝により構成される位置情報を備え、前記ウォブル溝をトラック方向に所定の長さだけ中断してなる領域を設けた光ディスクに対して、前記中断された領域を避けて記録した情報パタンを用いて記録再生テストを行う信号再生方法において、
前記光ディスクから読み出されるウォブル読み出し信号から同期信号を生成するステップと、前記同期信号のタイミングを用いて、少なくとも前記中断された領域の先頭近傍の情報読み出し信号をＤＣレベル補正するステップと、前記ＤＣレベル補正した情報読み出し信号を二値化して再生するステップとを有することを特徴とする光ディスクの信号再生方法を提供する。
【００２５】
本発明は、その第３の視点において、ウォブル溝により構成される位置情報を備え、未記録のデータ領域に続く記録済みのデータ領域を有する光ディスクから情報データを再生する光ディスク装置において、
前記光ディスクから読み出されるウォブル読み出し信号から同期信号を生成する手段と、
前記同期信号のタイミングを用いて、少なくとも前記記録済みのデータ領域の先頭近傍からの情報読み出し信号をＤＣレベル補正する手段と、
前記ＤＣレベル補正した情報データ信号を二値化して再生する手段とを備えることを特徴とする光ディスク装置を提供する。
【００２６】
本発明は、その第４の視点において、ウォブル溝により構成される位置情報を備え、前記ウォブル溝をトラック方向に所定の長さだけ中断してなる領域を設けた光ディスクに対して、前記中断された領域を避けて記録した情報パタンを用いて記録再生テストを行う光ディスク装置において、
前記光ディスクから読み出されるウォブル読み出し信号から同期信号を生成する手段と、
前記同期信号のタイミングを用いて、少なくとも前記中断された領域の先頭近傍の情報読み出し信号をＤＣレベル補正する手段と、
前記ＤＣレベル補正した情報読み出し信号を二値化して再生する手段とを備えることを特徴とする光ディスク装置を提供する。
【００２７】
なお、本発明において、「ＤＣレベル補正する」とは、交流結合によりＤＣレベルが大きく過渡応答しているＲＦ信号エンベロープのＤＣレベルを、例えば一時的に所定のリファレンス電位へ固定することによって、ＤＣレベルの過渡応答を抑えることを意味しており、結果的にＲＦ信号の二値化を安定かつ信頼性よく行える状態にすることである。
【００２８】
本発明の光ディスクの信号再生方法及びディスク装置によると、ウォブル溝により構成される位置情報を備えた光ディスクに対して、未記録のデータ領域に続く記録済みのデータ領域を再生する際に、或いは、ウォブル溝を中断した領域を設けた光ディスクからその中断した領域に後続する領域からデータを再生する際に、データ領域の情報読み出し信号の先頭でのデータ識別誤りを起こす問題を解決できる。これによって、ECCデータ単位での記録再生が信頼性高く実現できるため、ダミーデータ領域を設けることなく、ランダムアクセスによる再生もしくは記録が可能となる。従って、大容量光ディスクのメリットを損なうことなく、信頼性の高い光ディスクシステムを構築することができる。
【図面の簡単な説明】
【００２９】
【図１】は、本発明の一実施形態に係る光ディスク装置のブロック図である。
【図２】は、図１に示したＲＦ信号処理部の一部を例示するブロック図である。
【図３】は、図１に示したＤＣレベル補正回路の一例を示すブロック図である。
【図４】は、ＤＣレベル補正回路の別の例を示すブロック図である。
【図５】は、ＤＣレベル補正回路の更に別の例を示すブロック図である。
【図６】は、図５に示したインピーダンス切り替え回路の一例を示すブロック図である。
【図７】の（ａ）及び（ｂ）はそれぞれ、光ディスク上のデータの記録状態を示す線図である。
【図８】の（ａ）及び（ｂ）は、記録型ＤＶＤにおける本発明の効果を示す信号タイミングチャートである。
【図９】の（ａ）及び（ｂ）は、HD DVD-R/RWにおける本発明の効果を示す信号タイミングチャートである。
【図１０】は、従来の光ディスク装置の一例を示すブロック図である。
【図１１】は、種々の光ディスクにおけるアドレス情報の読み出し信号を例示するタイミングチャートである。
【図１２】の（ａ）及び（ｂ）は、従来の問題点を示す信号タイミングチャートである。
【図１３】の（ａ）は、ＳＣＭを有する光ディスクのトラックを示す模式的平面図、図１３の（ｂ）は（ａ）の光ディスクから得られる従来の信号タイミングチャート、及び、図１３の（ｃ）は本発明のＤＣレベル補正で得られる信号タイミングチャートである。
【図１４】は、ＨＤ ＤＶＤフォーマットのデータセグメント構成を示す線図である。
【図１５】は、ＨＤ ＤＶＤフォーマットのＮＲＺＩ記録でのデータパタン例を示す線図である。
【図１６】は、ウォブル信号のＳＹＮＣパタンを示す線図である。
【図１７】はＨＤ ＤＶＤフォーマットの同期信号パルスとＲＦ信号との関係を例示するタイミングチャートである。
【発明を実施するための最良の形態】
【００３０】
以下、図面を参照し、本発明の実施形態について説明する。この実施形態例では、HD DVD-R/RWを例に挙げて説明する。【００３１】
図１は、本発明の第１の実施形態に係る光ディスク装置のブロック図を示す。本実施形態の光ディスク装置では、従来の光ディスク装置と同様に、光ヘッド１０１内の半導体レーザ（以下ＬＤと呼ぶ）１０６から出射された光ビームは、光ディスク１００上に集光され、その反射光がビームスプリッタ１０３により分波され、ディスクの半径方向に二分割したフォトディテクタ１０８によって受光される。各フォトディテクタ１０８から得られる電流出力は、対応するＩ−Ｖアンプ１０９、１１０によって電圧出力に変換される。グルーブのウォブルに応じて変化する信号は、差動増幅器１１２によって減算することで得られる。このとき、記録マークからの反射光量の変化が一般的に言う情報読み出し信号（ＲＦ信号）であり、本構成では、加算増幅器１１１によって得られる。ＲＦ信号は、図示していないコンデンサＣなどの素子により交流結合され、後段のＲＦ信号処理部１１３に渡される。このとき、図１２（ａ）及び図１３（ｂ）を参照して説明したように、ＲＦ信号の先頭領域では過渡応答としてＤＣレベル変動が発生する。本実施形態では、図１２（ａ）や図１３（ｂ）に示すようなＤＣレベルの変動した信号をＤＣレベル補正して、例えば図１３（ｃ）に示すような安定したＲＦ信号や正確なデータ信号を得ることを可能にする。【００３２】
図１６は、HD DVD-R/RWにおけるウォブル信号を示すデータフォーマットである。HD DVD-R/RWのウォブルは、１データセグメントが、１７のＷＤＵ（WOBBLE DATA UNIT）から構成され、ＮＰＷ(NORMAL PHASE WOBBLE)とＩＰＷ(INVERSE PHASE WOBBLE)とで位相変調されている。４WOBBLEが１ビットの情報を構成する。１７のＷＤＵは、先頭から１つのSYNCフィールド、１３のADDRESSフィールド、３つのUNITYフィールドから構成される。SYNCフィールドには同期信号パタンが、ADDRESSフィールドにはセグメントアドレスやトラックアドレスなどのＩＤ情報がそれぞれ埋め込まれている。UNITYフィールドは単一周期のウォブルが形成される領域である。【００３３】
位相変調では、図１１（ｃ）を参照して従来の技術で説明したように、正弦波からなるキャリア信号に、位相がキャリア信号と180°異なる正弦波を局所的に挿入して、アドレスを含むデジタル情報を表す信号を生成しており、これに従ってウォブル溝を予め形成している。なお、HD DVD-RとHD DVD-RWとでは記録密度／容量だけでなく、記録方式が前者はグルーブ記録であり、後者はランド／グルーブ記録方式と異なっている。そのため、ウォブルフォーマット構成が異なる部分があるが、その異なる部分と本発明との関係は薄いので同様なウォブルフォーマットであるとして説明する。【００３４】
ウォブル信号処理部１１６は、例えばウォブル周波数近傍に通過帯域を持った帯域通過フィルタと、ウォブル信号に同期したウォブルクロックを得るためのPLL( Phase Locked Loop )回路と、ウォブルクロックに同期した帯域通過フィルタの出力をサンプリングするサンプリング回路と、サンプリング回路の出力を二値化して同期化する同期化回路とから構成され、記録用のチャネルクロックと、ウォブルクロック、ウォブルの二値化同期データとを出力する。ウォブルデータ復調部１１７は、ウォブルの二値化同期データを変調規則に則りデコードする。このとき、ウォブル信号の同期信号パタンもパタンマッチングなどの方法でデコードされる。ウォブルＩＤ検出部１１８は、ウォブル信号に埋め込まれたセクタナンバやトラックアドレスなどの物理セクタに対応したアドレス情報を検出し出力する。ウォブルフォーマットのＳＹＮＣフィールドにある同期信号パタンとしては、ウォブル変調方式で定まる禁止パタンが用いられ、同期信号パタンの検出に際して、読み出された信号のパタンマッチングを行うことで、ウォブル信号から同期信号パルス２００を出力する。【００３５】
図１７は、ＨＤ ＤＶＤの場合における同期信号パルスの出力タイミングと、ＲＦ信号のＤＣレベル補正との関係の様子とを示している。ＨＤ ＤＶＤでは、ＳＹＮＣパタンが６ＷＯＢＢＬＥ、４ＷＯＢＢＬＥ、６ＷＯＢＢＬＥと埋め込まれている。このＷＯＢＢＬＥ信号のＳＹＮＣパタンは、他のＷＯＢＢＬＥアドレス情報と区別し易いように、異なる数のＷＯＢＢＬＥを持つ。従って、このＷＯＢＢＬＥパタンと一致するビットパタンを予め用意し、ウォブル信号中に一致するパタンが発生した場合には、これをＳＹＮＣパタンと判定する。又は、ある規定数のビットが一致すればＳＹＮＣパタンと判定する。この構成を採用することにより、ＳＹＮＣ信号の終端でこのＳＹＮＣ信号が検出できる。しかし、実際の光ディスク装置では、ＳＹＮＣパタンが検出できない場合を想定して、ＳＹＮＣパタンの連続性やウォブルアドレスの連続性との判断結果とを組み合わせて安定な検出を行う構成が採用できる。この場合には、同期信号パルスは、ＳＹＮＣパタンの先頭で検出でき、従って、ＳＹＮＣパタンの先頭で同期信号パルスの出力が可能になる。その同期信号パルスから２４WOBBLEずらし、又は、この２４WOBBLEに加えてランダムビットシフト（ＲＢＳ）分ずらすことでＶＦＯ領域の先頭タイミングが計算できる。従って、このＶＦＯ領域の先頭タイミングと所定のフォーマット時間差や検出回路遅れを考慮した時間差を持ち、且つ、所定の時間幅ＴＷを有する制御信号の出力が可能となる。【００３６】
図２は、ＲＦ信号処理部１１３の一部の構成を示すもので、ＤＣレベル変動を除去する回路部分を示している。本回路部分は、ＤＣレベル補正回路１２６と、タイミング補正回路１２７と、増幅器１２８とから成る。タイミング補正回路１２７では、ウォブルデータ復調部１１７からの同期信号パルス２００に基づいて、データセグメントの先頭部であるＶＦＯ領域とのフォーマット時間差および検出回路遅れ等を考慮し、タイミングを補正した所定の時間幅ＴＷの制御信号２０１を生成する。この制御信号２０１を用いて、ＲＦ信号をＤＣレベル補正することで、図９などに示すようなＲＦ信号が得られ、ＲＦ信号の過渡応答による変動を抑え、そのＤＣレベルを安定化できる。【００３７】
制御信号２０１の所定の時間幅ＴＷの設定では、図８、図９、図１２、図１３などでのＤＣレベル変動のない箇所に対してまで補正する必要はない。これは、ＲＦ信号のＤＣレベルを強制的に行うと、ＲＦ信号の波形歪が少なからず発生し、不必要な領域にまで設定するとＳＮ比を劣化させることになるからである。なお、タイミング補正回路１２７で生成する制御信号２０１は、ウォブル信号が検出されれば常に生成できるものの、ウォブルアドレスの連続性を判断基準にしてこの制御信号２０１を推測で発生させてもよい。この連続性の判断では、ウォブルアドレスは光ディスクの内周側から外周側に向かって例えばインクリメンタルに並んでいるので、光ビームが内周側から外周側に向かって走査する場合にアドレスがインクリメンタルに現れることで、連続性有りと判断できる。【００３８】
ＤＣレベル補正回路１２６には何種類かの構成が採用できる。図３に、本発明の一実施形態で採用されるＤＣレベル補正回路１２６の構成例を示す。ＤＣレベル補正回路１２６は、同図に示すように、コンデンサＣによって交流結合されたＲＦ信号を、ウォブル同期された制御信号２０１に基づいて所定の時間幅だけクランプ回路に通す構成である。ここで用語「クランプ」は、交流結合によりＤＣレベルが大きく過渡応答しているＲＦ信号のＤＣレベルを、ある所定のリファレンス電位に固定するとの意味で用いている。具体的な構成としては、リファレンス電位にダイオードなどでクランプするにあたって、ウォブル信号からの同期信号パルスを基にタイミング補正回路で生成した制御信号を用い、その時間幅ＴＷだけ局所的にクランプさせる回路構成と、時定数に従ってチャージを放電する回路構成とを有し、ＤＣレベルの変動を抑制することによってＤＣレベル補正を行う。なお、クランプ時定数である結合コンデンサ容量Ｃや、時間幅ＴＷなどは調整項目となる。【００３９】
また、後段の増幅器１３０は、一般的にはバッファアンプの機能があればよいので、増幅度などは調整項目である。更に、前記クランプ回路１２９は、常にＤＣレベル補正するのではなく、ウォブル信号からの同期信号を元に所定の時間幅ＴＷだけ処理すればよい。なお映像処理技術などでは、ペデスタルクランプなどがよく知られているが、ペデスタルクランプは、制御信号を用いてクランプするものではない。【００４０】
ＤＣレベル補正回路の他の例としては、図４に示すようなＤＣレベル補正回路１２６Ａも採用できる。このＤＣレベル補正回路１２６Ａは、正側ピーク検出回路１３１で検出したＲＦ信号の正側ピーク信号と、負側ピーク検出回路１３２で検出した反転出力である負側ピークでの出力信号とを入力する加算増幅器１３３で、ＤＣレベル調整することで、クランプ回路と等価な機能を有する。本例では、記録済み領域の先頭で常にＤＣレベル補正してもよく、ウォブル信号からの同期信号を元に所定の時間幅ＴＷだけ処理してよい。従って、時定数やオフセット値、時間幅ＴＷなどは調整項目となる。【００４１】
図５は、ＤＣレベル補正回路の他の例として、ＤＣレベル補正をインピーダンス切り替えで行うＤＣレベル補正回路１２６Ｂを示している。ＤＣレベル補正回路１２６Ｂは、インピーダンス切り替え回路１３４と、増幅器１３５とを有する。図６は、インピーダンス切り替え回路１３４の具体的な構成例を示す。インピーダンス切り替え回路１３４では、例えば未記録領域から記録データ領域へ遷移する遷移領域の近傍でのみ、インピーダンスを低くできるように抵抗Ｒ２を設定し、時定数ＣＲ２を時定数ＣＲ１より小さく設定しておく。ウォブル信号からの同期信号パルスを基にタイミング補正回路１２７で生成した制御信号２０１を用い、切り替えスイッチ１３６によって、時間幅ＴＷだけ局所的にインピーダンスを低く切り替え、交流結合用コンデンサＣにチャージされた電荷をレファレンス電位に放電させる。すなわち、放電時定数を切り替えることでＤＣレベル補正を可能としている。所定の時間幅ＴＷや、時定数ＣＲなどのパラメータは設計時に最適化する必要がある。ここでは、インピーダンス切り替え回路１３４をシングルエンド形式の回路で示したが、ＲＦ信号の反転信号を元に２系統のインピーダンス切り替え回路を用意して、それら出力を差動増幅する差動形式も採用できる。この場合、回路ノイズ等の同相ノイズの影響を軽減できる効果もある。【００４２】
また図示していないが、ＤＣレベル補正の方法として、ＡＧＣ回路自身の時定数を、ウォブル信号の同期信号を基にタイミング補正して、切り替えることで、ＤＣレベル補正することも可能である。以上のような構成例でＤＣレベル補正できるが、各方法に共通してＤＣレベル補正するシーケンスタイミングの例について説明する。図７は、光ディスクのデータセグメント記録の状態を示している。同図（ａ）には、データセグメントアドレス（Ｎ−１）からデータセグメントアドレスＮ（Ｎは正の整数）への連続記録がなされた場合のディスク上での記録状態をフォーマット例と共に示している。ここで、Ｎは正の整数である。また、同図（ｂ）には、未記録領域の後ろに、データセグメントアドレスＮからデータセグメントアドレス（Ｎ＋１）への連続記録がなされた場合のディスク上での記録状態をフォーマット例と共に示している。【００４３】
データセグメントが連続的に記録されている場合には、ＤＣレベル補正処理を常時行う必要はない。もちろん、連続するデータセグメントの先頭で常にＤＣレベル補正を行なっても基本的に問題は発生しないが、未記録から記録済み状態に移る先頭領域のデータセグメントだけでＤＣレベル補正を行うことが一般的に望ましいという意味である。これは、連続記録された領域では、ＤＣレベル補正が、ＰＬＬ引き込み用に使うＶＦＯに波形歪を起こしＳＮ比を劣化させることがあるためである。【００４４】
ただし、図示はしないが、例外としてＥＣＣブロック単位（HD DVDの物理イメージでは、データセグメント単位）でのデータ書き継ぎとしてオーバライトされた連続記録の場合であって、記録状態が悪く、そのため書き継ぎ領域の先頭部であるＶＦＯ領域でＤＣレベル変動が存在する場合には、データ領域の先頭で常にＤＣレベル補正することが好ましい。すなわち、オーバライトされるＶＦＯ領域の先頭部は、ランダムビットシフト機能などにより、以前に記録済みのＶＦＯデータとの間で４Ｔのエッジ位相ずれが発生し、或いは、オーバライト特性により以前に記録済みのＶＦＯ領域を消去していることが原因で、ＤＣレベルが変動する可能性が残るためである。パーソナルコンピュータのストレージとして使用する場合には、ランダムデータ記録が前提であり、この場合には、データセグメントの先頭で常にＤＣレベル補正することが好ましい。また、再生への影響、例えばＳＮ比の劣化によるＰＬＬ引き込みへの影響がないと判断される場合には、データ領域の先頭で常にＤＣレベル補正するように構成しても良い。【００４５】
図８及び図９は、記録型DVDの場合（図８）及びHD DVD-R/RW（図９）の場合について、図（ａ）にＤＣレベル補正をしないときのＲＦ信号の状態を、同図（ｂ）にＤＣレベル補正をしたときのＲＦ信号の状態をそれぞれエンベロープで表示している。データセグメントの先頭でＤＣレベル補正すれば、図８及び図９の（ｂ）に示すように、未記録に続く記録済み状態のデータ先頭領域、及び、書き継ぎに伴うデータ先頭領域での信号検出が正確にできるようになる。図８で示すDVDフォーマットの場合には、図９に示すHD DVDの場合とは異なり、ＶＦＯ領域を有していないため効果は半減する。もっとも、従来の単なる交流結合による悪影響回避のためにダミーの１ＥＣＣブロックを記録する方式よりは効率的であり、クランプの時定数調整しだいでは、ＥＣＣ訂正できる範囲で使用することが可能である。なお、ここで、データ先頭領域と述べているが、HD DVDの場合にはＶＦＯ領域に続いてData fieldが来るので狭義にデータ先頭領域とは呼べないが、本明細書ではＶＦＯ領域を含んで広義に解釈して述べている。すなわちＶＦＯ領域自体も、ＨＤ ＤＶＤにとってはPLLのためのプリアンブル機能だけでなく有用な記録データ領域であるとの解釈である。【００４６】
以上の例では、ＲＦ信号処理部の具体的な構成例を説明してきたが、基本的に、ＤＣレベル補正される信号は、ＲＦ信号処理部１１３内の図示しない後段の波形等化器などで、所定の周波数特性を持つＲＦ信号波形に変換され、ＡＧＣ回路などを経て、二値化手段へ送付される構成である。当然のこととして、信号の流れからすれば、ＲＦ信号をＤＣレベル補正する前に、ＡＧＣ回路により振幅合わせをすることも可能である。ただしダイナミックレンジが許せばなどとの設計マターになることが多く、補正してから行うことが望ましい。ただしＡＧＣ回路自身の時定数調整を切り替える構成でもＤＣレベル補正は可能であるので、波形等化器を含めてＲＦ信号処理の流れとしての機能の順番は限定したものでなくてよい。【００４７】
なお、波形等化器は、例えば半固定のタップ係数（C0,C1,…,C6）を有する７TAPのトランスバーサルフィルタでも良いし、適応的にタップ係数を変化させる構成で分解能の低下した読み出し信号の分解能改善を行っても良い。なお二値化手段は、ＤＶＤなどで採用されたＤＣ追従型のコンパレータ回路、或いは、高密度再生に適したビタビ検出器など、他の構成でもよい。【００４８】
また，上記実施形態で、クランプ回路１２９として正負ピーク検出により中間値を出力する例を示したが、平滑回路を用いて読み出し信号を平滑化し、中間値を出力してリファレンス電位とし読み出し信号をクランプしてもよい。このように、リファレンス電位を強制的に設定して行うか、ＲＦ信号自体から出力するかは本質的な問題ではないが、何れも具体的な構成として採用可能である。【００４９】
また上記では、数種類のＤＣレベル補正回路を説明したが、これらの機能を有する各回路を従属接続することで、未記録から記録済み状態に移る先頭データ領域での悪影響を更に除き、ＲＦ信号を安定化することができる。例えば、正負のピーク信号に基づくＤＣレベルの補正を行う回路と、高速な時定数を有し振幅を補正することによって結果的にＤＣレベル補正を行うＡＧＣ回路とを縦続接続することにより、ＤＣレベルの変動を大幅に抑制可能である。特に、Ｉ−Ｖアンプの出力を交流結合して出力するＲＦ信号では、経時変化や温度変化に起因してＤＣレベルの変動が発生し、ディスク装置が出荷時の性能を保てないことも考えられ、このような場合には、複数のＤＣレベル補正回路を組み合わせることで、高精度なＤＣレベル補正が得られる。【００５０】
次に、本発明の第２の実施形態について説明する。HD DVD-RWの場合には、図１３を参照して従来の技術での課題で述べたように、各ゾーン間の境目のSCM（Servo Calibration Mark）領域でSCMを含むトラックを利用する場合には、交流結合によるＤＣレベル変動の影響が顕著に観測され、正確な情報再生ができない。これに鑑み、第２の実施形態の光ディスクの信号再生方法では、ウォブル溝をトラック方向に所定の長さだけ中断してＳＣＭ領域を設けた光ディスクから、このＳＣＭ領域を避けて記録した情報パタンを再生する際に、交流結合された後のＲＦ信号をＤＣレベル補正する。SCMはウォブル同期で形成されているため、ウォブル信号からSCMの正確な位置を同定できる。従って、ＤＣレベル補正方法を用いることで、局所的なＲＦ信号エンベロープの変動を抑え、正確な情報再生が可能となる。このため、SCMを避けて情報パタンを記録しても、安定に情報パタンの再生ができる領域が増大するので、SCMを含むトラック領域をサーボ調整だけでなくテスト記録にも使用できる。特に、ディスク半径方向での記録パワー調整、記録ストラテジ調整は、高密度光ディスクで必須であるため、光ディスク装置の高信頼性化、及び、装置調整の時間短縮に大きな効果がある。【００５１】
以上説明したように、本発明の光ディスクの信号再生方法および光ディスク装置では、未記録から記録状態に移るデータ領域の先頭において、情報読み出し信号を誤りなく検出することが可能である。そのため、ランダムアクセスして記録されたフォーマットに対して信頼性よく高速にデータ再生できる手段を提供し、簡単な構成で容易に光ディスクの大容量化を損ねない光ディスクシステムを実現することが可能である。【００５２】
また、HD DVDフォーマットでは、高速にＤＣレベル補正されたＶＦＯ領域の残りのＶＦＯ領域の信号から、再生クロックをクロック抽出回路で抽出できるため、安定して高速なクロック抽出、クロック同期が可能となる効果もある。なお上記実施形態では、HD DVD-RWを中心とした記録型光ディスクを例に述べたが、もちろん再生専用ディスクを用いた光ディスク系でも同様に適用することが可能となり、記録形式の異なる光磁気ディスクなど種々の光ディスクの大容量化に寄与できる。【００５３】
以上、本発明をその好適な実施態様に基づいて説明したが、本発明の光ディスクの信号再生方法及び光ディスク装置は、上記実施態様の構成にのみ限定されるものではなく、上記実施態様の構成から種々の修正及び変更を施したものも、本発明の範囲に含まれる。特に、上述したように波形等化器を含めてＲＦ信号処理の流れとしての機能の順番は限定したものでなくてよい。また、本発明の好適な態様として記載した各構成や実施形態で記載した各構成については、本発明の必須の構成と共に用いることが好ましいが、単独であっても有益な効果を奏する構成については、必ずしも本発明の必須の構成として説明した全ての構成と共に用いる必要はない。【００５４】
本発明の光ディスクの信号再生方法及び光ディスク装置は、ウォブル溝を有する各種光ディスクから信号を再生するために利用できる。
【図１】
0004775378.tif 000002
【図２】
0004775378.tif 000003
【図３】
0004775378.tif 000004
【図４】
0004775378.tif 000005
【図５】
0004775378.tif 000006
【図６】
0004775378.tif 000007
【図７】
0004775378.tif 000008
【図８】
0004775378.tif 000009
【図９】
0004775378.tif 000010
【図１０】
0004775378.tif 000011
【図１１】
0004775378.tif 000012
【図１２】
0004775378.tif 000013
【図１３】
0004775378.tif 000014
【図１４】
0004775378.tif 000015
【図１５】
0004775378.tif 000016
【図１６】
0004775378.tif 000017
【図１７】
0004775378.tif 000018